【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
映像符号化プロセスにおいて基準ピクチャインデックス構文要素を符号化するための方法であって、
基準ピクチャインデックス値をバイナリ化することと、
コンテキスト適応型バイナリ算術コーディング（ＣＡＢＡＣ）プロセスのコンテキストコーディングモードを用いて前記バイナリ化された基準ピクチャインデックス値の少なくとも１つのビンを符号化することと、
前記バイナリ化された基準ピクチャインデックス値が前記コンテキストコーディングモードを用いてコーディングされた前記少なくとも１つのビンよりも多いビンを備えると決定することと、
前記バイナリ化された基準ピクチャインデックス値が前記コンテキストコーディングモードを用いてコーディングされた前記少なくとも１つのビンよりも多いビンを備えると決定することに応答して、前記ＣＡＢＡＣプロセスのバイパスコーディングモードを用いて前記バイナリ化された基準ピクチャインデックス値の少なくとも他のビンを符号化することと、を備える、方法。
【請求項２】
前記コンテキストコーディングモードを用いて前記バイナリ化された基準ピクチャインデックス値の少なくとも１つのビンを符号化することは、
第１のコンテキスト（ｃｔｘ０）を用いて前記バイナリ化された基準ピクチャインデックス値の第１のビン（ビン０）を符号化することと、
第２のコンテキスト（ｃｔｘ１）を用いて前記バイナリ化された基準ピクチャインデックス値の第２のビン（ビン１）を符号化することと、を備え、
前記バイパスコーディングモードを用いて前記バイナリ化された基準ピクチャインデックス値の少なくとも他のビンを符号化することは、
前記バイパスコーディングモードを用いて第３のビン（ビン２）及び前記第３のビン（ビン２）後のすべての残りのビンを符号化することを備える請求項１に記載の方法。
【請求項３】
前記基準ピクチャインデックス値をバイナリ化することは、結合された打ち切りユナリ及び指数Ｇｏｌｏｍｂコードを用いて前記基準ピクチャインデックス値をバイナリ化することを備える請求項２に記載の方法。
【請求項４】
前記バイパスコーディングモードを用いて前記バイナリ化された基準ピクチャインデックス値の前記少なくとも他のビンを符号化することは、ユナリ、打ち切りユナリ、Ｇｏｌｏｍｂ、指数Ｇｏｌｏｍｂ、又はＧｏｌｏｍｂ−Ｒｉｃｅコーディングプロセスのうちの少なくとも１つを用いて前記少なくとも他のビンを符号化することを備える請求項１に記載の方法。
【請求項５】
前記第１の基準ピクチャインデックスと関連付けられた第１の動きベクトル差分値の成分及び第２の基準ピクチャインデックスと関連付けられた第２の動きベクトル差分値の成分をバイナリ化することと、
前記コンテキストコーディングモードを用いて第１の動きベクトル差分値の前記成分の第１の部分及び前記第２の動きベクトル差分値の前記成分の第１の部分を符号化することと、
前記バイパスコーディングモードを用いて前記第１の動きベクトル差分値の前記成分の第２の部分及び前記第２の動きベクトル差分値の前記成分の第２の部分を符号化することと、をさらに備える請求項１に記載の方法。
【請求項６】
前記第１の動きベクトル差分値の前記成分の前記第１の部分及び前記第２の動きベクトル差分値の前記成分の前記第１の部分を前記コンテキストコーディングモードでのコーディングのために第１のグループに分けることと、
前記第１の動きベクトル差分値の前記成分の前記第２の部分及び前記第２の動きベクトル差分値の成分の前記第２の部分を前記バイパスコーディングモードでのコーディングのために第２のグループに分けることと、をさらに備える請求項５に記載の方法。
【請求項７】
前記コンテキストコーディングモードを用いて前記バイナリ化された基準ピクチャインデックス値の少なくとも１つのビンを符号化することは、
第１のコンテキスト（ｃｔｘ０）を用いて前記バイナリ化された基準ピクチャインデックス値の第１のビン（ビン０）を符号化することと、
第２のコンテキスト（ｃｔｘ１）を用いて前記バイナリ化された基準ピクチャインデックス値の第２のビン（ビン１）を符号化することと、
第３のコンテキスト（ｃｔｘ２）を用いて前記バイナリ化された基準ピクチャインデックスの第３のビン（ビン２）を符号化することと、を備え、
前記バイパスコーディングモードを用いて前記バイナリ化された基準ピクチャインデックスの少なくとも他のビンを符号化することは、
前記バイパスコーディングモードを用いて前記第３のビン（ビン２）の後のすべての残りのビンを符号化することを備える請求項１に記載の方法。
【請求項８】
前記コンテキストコーディングモードを用いて前記バイナリ化された基準ピクチャインデックス値の少なくとも１つのビンを符号化することは、
第１のコンテキスト（ｃｔｘ０）を用いて前記バイナリ化された基準ピクチャインデックス値の第１のビン（ビン０）を符号化することを備え、
前記バイパスコーディングモードを用いて前記バイナリ化された基準ピクチャインデックス値の少なくとも他のビンを符号化することは、
前記バイパスコーディングモードを用いて前記第１のビン（ビン０）の後のすべての残りのビンを符号化することを備える請求項１に記載の方法。
【請求項９】
前記基準ピクチャインデックス値をバイナリ化することは、前記基準ピクチャインデックス値をユナリコーディングすることを備え、
前記コンテキストコーディングモードを用いて前記バイナリ化された基準ピクチャインデックス値の前記少なくとも１つのビンを符号化することは、
前記コーディングモードを用いて前記ユナリコーディングされた基準ピクチャインデックス値の少なくとも１つのビンを符号化することを備え、
前記バイパスコーディングモードを用いて前記バイナリ化された基準ピクチャインデックス値の前記少なくとも他のビンを符号化することは、
前記バイパスコーディングモードを用いて前記ユナリコーディングされた基準ピクチャインデックス値の少なくとも他のビンを符号化することを備える請求項１に記載の方法。
【請求項１０】
前記基準ピクチャインデックス値をユナリコーディングすることは、前記基準ピクチャインデックス値を打ち切りユナリコーディングすることを備える請求項９に記載の方法。
【請求項１１】
前記基準ピクチャインデックス値をバイナリ化することは、前記基準ピクチャインデックス値をユナリコーディングすることと、指数−Ｇｏｌｏｍｂコーディングすることと、を備え、
前記コンテキストコーディングモードを用いて前記バイナリ化された基準ピクチャインデックス値の前記少なくとも１つのビンを符号化することは、
前記コンテキストコーディングモードを用いて前記基準ピクチャインデックス値のユナリコーディングされた部分の少なくとも１つのビンを符号化することを備え、
前記バイパスコーディングモードを用いて前記バイナリ化された基準ピクチャインデックス値の前記少なくとも他のビンを符号化することは、
前記バイパスコーディングモードを用いて前記基準ピクチャインデックス値の前記ユナリコーディングされた部分及び前記基準ピクチャインデックス値の指数−Ｇｏｌｏｍｂコーディングされた部分の少なくとも他のビンを符号化することを備える請求項１に記載の方法。
【請求項１２】
前記基準ピクチャインデックス値の前記指数−Ｇｏｌｏｍｂコーディングされた部分を符号化する前に前記基準ピクチャインデックス値の前記指数−Ｇｏｌｏｍｂコーディングされた部分を打ち切ることをさらに備える請求項１１に記載の方法。
【請求項１３】
前記基準ピクチャインデックス値をバイナリ化することは、前記基準ピクチャインデックス値をユナリコーディングすることと、固定長コーディングすることと、を備え、
前記コンテキストコーディングモードを用いて前記バイナリ化された基準ピクチャインデックス値の前記少なくとも１つのビンを符号化することは、前記コンテキストコーディングモードを用いて前記基準ピクチャインデックス値のユナリコーディングされた部分の少なくとも１つのビンを符号化することを備え、
前記バイパスコーディングモードを用いて前記バイナリ化された基準ピクチャインデックス値の前記少なくとも他のビンを符号化することは、前記バイパスコーディングモードを用いて前記基準ピクチャインデックス値の前記ユナリコーディングされた部分及び前記基準ピクチャインデックスの固定長コーディングされた部分の少なくとも他のビンを符号化することを備える請求項１に記載の方法。
【請求項１４】
前記基準ピクチャインデックス値の前記固定長コーディングされた部分をコーディングする前に前記基準ピクチャインデックス値の前記固定長コーディングされた部分を打ち切ることをさらに備える請求項１３に記載の方法。
【請求項１５】
前記コンテキストコーディングモードを用いて符号化することは、前記バイナリ化された基準ピクチャインデックスの前記少なくとも１つのビンをコーディングするための１つ以上の確率モデルを選択することと、前記選択された１つ以上の確率モデルを用いて前記バイナリ化された基準ピクチャインデックスの前記少なくとも１つのビンを符号化することと、備え、
前記バイパスコーディングモードを用いて符号化することは、固定された確率を決定することと、前記固定された確率を用いて前記バイナリ化された基準ピクチャインデックス値の前記少なくとも他のビンを符号化することと、を備える請求項１に記載の方法。
【請求項１６】
映像符号化プロセスにおいて基準ピクチャインデックス構文要素を符号化するための装置であって、
１つ以上の基準ピクチャを格納するように構成された復号されたピクチャバッファと、
前記１つ以上の基準ピクチャの基準ピクチャに関する基準ピクチャインデックス値をバイナリ化し、
コンテキスト適応型バイナリ算術コーディング（ＣＡＢＡＣ）プロセスのコンテキストコーディングモードを用いて前記バイナリ化された基準ピクチャインデックス値の少なくとも１つのビンを符号化し、
前記バイナリ化された基準ピクチャインデックス値が前記コンテキストコーディングモードを用いてコーディングされた前記少なくとも１つのビンよりも多いビンを備えると決定し、及び
前記バイナリ化された基準ピクチャインデックス値が前記コンテキストコーディングモードを用いてコーディングされた前記少なくとも１つのビンよりも多いビンを備えると決定することに応答して、前記ＣＡＢＡＣプロセスのバイパスコーディングモードを用いて前記バイナリ化された基準ピクチャインデックス値の少なくとも他のビンを符号化するための１つ以上のプロセッサと、を備える、装置。
【請求項１７】
前記コンテキストコーディングモードを用いて前記バイナリ化された基準ピクチャインデックス値の少なくとも１つのビンを符号化するために、前記１つ以上のプロセッサは、
第１のコンテキスト（ｃｔｘ０）を用いて前記バイナリ化された基準ピクチャインデックス値の第１のビン（ビン０）を符号化し、
第２のコンテキスト（ｃｔｘ１）を用いて前記バイナリ化された基準ピクチャインデックス値の第２のビン（ビン１）を符号化するように構成され、
前記バイパスコーディングモードを用いて前記バイナリ化された基準ピクチャインデックス値の少なくとも他のビンを符号化するために、前記１つ以上のプロセッサは、前記バイパスコーディングモードを用いて第３のビン（ビン２）及び前記第３のビン（ビン２）後のすべての残りのビンを符号化するように構成される請求項１６に記載の装置。
【請求項１８】
前記基準ピクチャインデックス値をバイナリ化するために、前記１つ以上のプロセッサは、結合された打ち切りユナリ及び指数Ｇｏｌｏｍｂコードを用いて前記基準ピクチャインデックス値をバイナリ化するように構成される請求項１７に記載の装置。
【請求項１９】
前記バイパスコーディングモードを用いて前記バイナリ化された基準ピクチャインデックス値の前記少なくとも他のビンを符号化するために、前記１つ以上のプロセッサは、ユナリ、打ち切りユナリ、Ｇｏｌｏｍｂ、指数Ｇｏｌｏｍｂ、又はＧｏｌｏｍｂ−Ｒｉｃｅコーディングプロセスのうちの少なくとも１つを用いて前記少なくとも他のビンを符号化するように構成される請求項１６に記載の装置。
【請求項２０】
前記１つ以上のプロセッサは、
前記第１の基準ピクチャインデックスと関連付けられた第１の動きベクトル差分値の成分及び第２の基準ピクチャインデックスと関連付けられた第２の動きベクトル差分値の成分をバイナリ化し、
前記コンテキストコーディングモードを用いて第１の動きベクトル差分値の前記成分の第１の部分及び前記第２の動きベクトル差分値の前記成分の第１の部分を符号化し、及び
前記バイパスコーディングモードを用いて前記第１の動きベクトル差分値の前記成分の第２の部分及び前記第２の動きベクトル差分値の前記成分の第２の部分を符号化するようにさらに構成される請求項１６に記載の装置。
【請求項２１】
前記１つ以上のプロセッサは、
前記第１の動きベクトル差分値の前記成分の前記第１の部分及び前記第２の動きベクトル差分値の前記成分の前記第１の部分を前記コンテキストコーディングモードでのコーディングのために第１のグループに分け、及び
前記第１の動きベクトル差分値の前記成分の前記第２の部分及び前記第２の動きベクトル差分値の成分の前記第２の部分を前記バイパスコーディングモードでのコーディングのために第２のグループに分けるようにさらに構成される請求項２０に記載の装置。
【請求項２２】
前記コンテキストコーディングモードを用いて前記バイナリ化された基準ピクチャインデックス値の少なくとも１つのビンを符号化するために、前記１つ以上のプロセッサは、
第１のコンテキスト（ｃｔｘ０）を用いて前記バイナリ化された基準ピクチャインデックス値の第１のビン（ビン０）を符号化し、
第２のコンテキスト（ｃｔｘ１）を用いて前記バイナリ化された基準ピクチャインデックス値の第２のビン（ビン１）を符号化し、
第３のコンテキスト（ｃｔｘ２）を用いて前記バイナリ化された基準ピクチャインデックス値の第３のビン（ビン２）を符号化するように構成され、及び
前記バイパスコーディングモードを用いて前記バイナリ化された基準ピクチャインデックス値の少なくとも他のビンを符号化するために、前記１つ以上のプロセッサは、
前記バイパスコーディングモードを用いて前記第３のビン（ビン２）の後のすべての残りのビンを符号化するように構成される請求項１６に記載の装置。
【請求項２３】
前記コンテキストコーディングモードを用いて前記バイナリ化された基準ピクチャインデックス値の少なくとも１つのビンを符号化するために、前記１つ以上のプロセッサは、
第１のコンテキスト（ｃｔｘ０）を用いて前記バイナリ化された基準ピクチャインデックス値の第１のビン（ビン０）を符号化するように構成され、
前記バイパスコーディングモードを用いて前記バイナリ化された基準ピクチャインデックス値の少なくとも他のビンを符号化するために、前記１つ以上のプロセッサは、
前記バイパスコーディングモードを用いて前記第１のビン（ビン０）の後のすべての残りのビンを符号化するように構成される請求項１６に記載の装置。
【請求項２４】
前記基準ピクチャインデックス値をバイナリ化するために、前記１つ以上のプロセッサは、前記基準ピクチャインデックス値をユナリコーディングするように構成され、
前記コンテキストコーディングモードを用いて前記バイナリ化された基準ピクチャインデックス値の前記少なくとも１つのビンを符号化するために、前記１つ以上のプロセッサは、
前記コーディングモードを用いて前記ユナリコーディングされた基準ピクチャインデックス値の少なくとも１つのビンを符号化するように構成され、
前記バイパスコーディングモードを用いて前記バイナリ化された基準ピクチャインデックス値の前記少なくとも他のビンを符号化するために、前記１つ以上のプロセッサは、
前記バイパスコーディングモードを用いて前記ユナリコーディングされた基準ピクチャインデックス値の少なくとも他のビンを符号化するように構成される請求項１６に記載の装置。
【請求項２５】
前記基準ピクチャインデックス値をユナリコーディングするために、前記１つ以上のプロセッサは、前記基準ピクチャインデックス値を打ち切りユナリコーディングするように構成される請求項２４に記載の装置。
【請求項２６】
前記基準ピクチャインデックス値をバイナリ化するために、前記１つ以上のプロセッサは、前記基準ピクチャインデックス値をユナリコーディングし及び指数−Ｇｏｌｏｍｂコーディングするように構成され、
前記コンテキストコーディングモードを用いて前記バイナリ化された基準ピクチャインデックス値のうちの前記少なくとも１つを符号化するために、前記１つ以上のプロセッサは、
前記コンテキストコーディングモードを用いて前記基準ピクチャインデックス値のユナリコーディングされた部分の少なくとも１つのビンを符号化するように構成され、
前記バイパスコーディングモードを用いて前記バイナリ化された基準ピクチャインデックス値の前記少なくとも他のビンを符号化するために、前記１つ以上のプロセッサは、
前記バイパスコーディングモードを用いて前記基準ピクチャインデックス値の前記ユナリコーディングされた部分及び前記基準ピクチャインデックス値の指数−Ｇｏｌｏｍｂコーディングされた部分の少なくとも他のビンを符号化するように構成される請求項１６に記載の装置。
【請求項２７】
前記１つ以上のプロセッサは、前記基準ピクチャインデックス値の前記指数−Ｇｏｌｏｍｂコーディングされた部分を符号化する前に前記基準ピクチャインデックス値の前記指数−Ｇｏｌｏｍｂコーディングされた部分を打ち切るようにさらに構成される請求項２６に記載の装置。
【請求項２８】
前記基準ピクチャインデックス値をバイナリ化するために、前記１つ以上のプロセッサは、前記基準ピクチャインデックス値をユナリコーディングし及び固定長コーディングするように構成され、
前記コンテキストコーディングモードを用いて前記バイナリ化された基準ピクチャインデックス値の前記少なくとも１つのビンを符号化するために、前記１つ以上のプロセッサは、前記コンテキストコーディングモードを用いて前記基準ピクチャインデックス値のユナリコーディングされた部分の少なくとも１つのビンを符号化するように構成され、
前記バイパスコーディングモードを用いて前記バイナリ化された基準ピクチャインデックス値の前記少なくとも他のビンを符号化するために、前記１つ以上のプロセッサは、前記バイパスコーディングモードを用いて前記基準ピクチャインデックス値の前記ユナリコーディングされた部分及び前記基準ピクチャインデックス値の固定長コーディングされた部分の少なくとも他のビンを符号化するように構成される請求項１６に記載の装置。
【請求項２９】
前記１つ以上のプロセッサは、前記基準ピクチャインデックス値の固定長コーディングされた部分をコーディングする前に前記基準ピクチャインデックス値の前記固定長コーディングされた部分を打ち切るようにさらに構成される請求項２８に記載の装置。
【請求項３０】
前記コンテキストコーディングモードを用いて符号化するために、前記１つ以上のプロセッサは、前記バイナリ化された基準ピクチャインデックスの前記少なくとも１つのビンをコーディングするための１つ以上の確率モデルを選択し及び前記選択された１つ以上の確率モデルを用いて前記バイナリ化された基準ピクチャインデックスの前記少なくとも１つのビンを符号化するように構成され、
前記バイパスコーディングモードを用いて符号化するために、前記１つ以上のプロセッサは、固定された確率を決定し及び前記固定された確率を用いて前記バイナリ化された基準ピクチャインデックス値の前記少なくとも他のビンを符号化するように構成される請求項１６に記載の装置。
【請求項３１】
映像符号化プロセスにおいて基準ピクチャインデックス構文要素を符号化するための装置であって、
基準ピクチャインデックス値をバイナリ化するための手段と、
コンテキスト適応型バイナリ算術コーディング（ＣＡＢＡＣ）プロセスのコンテキストコーディングモードを用いて前記バイナリ化された基準インデックス値の少なくとも１つのビンを符号化するための手段と、
前記バイナリ化された基準ピクチャインデックス値が前記コンテキストコーディングモードを用いてコーディングされた前記少なくとも１つのビンよりも多いビンを備えると決定するための手段と、
前記バイナリ化された基準ピクチャインデックス値が前記コンテキストコーディングモードを用いてコーディングされた前記少なくとも１つのビンよりも多いビンを備えると決定することに応答して、前記ＣＡＢＡＣプロセスのバイパスコーディングモードを用いて前記バイナリ化された基準ピクチャインデックス値の少なくとも他のビンを符号化するための手段と、を備える、装置。
【請求項３２】
前記コンテキストコーディングモードを用いて前記バイナリ化された基準ピクチャインデックス値の少なくとも１つのビンを符号化するための前記手段は、
第１のコンテキスト（ｃｔｘ０）を用いて前記バイナリ化された基準ピクチャインデックス値の第１のビン（ビン０）を符号化するための手段と、
第２のコンテキスト（ｃｔｘ１）を用いて前記バイナリ化された基準ピクチャインデックス値の第２のビン（ビン１）を符号化するための手段と、を備え、
前記バイパスコーディングモードを用いて前記バイナリ化された基準ピクチャインデックス値の少なくとも他のビンを符号化するための前記手段は、
前記バイパスコーディングモードを用いて第３のビン（ビン２）及び前記第３のビン（ビン２）後のすべての残りのビンを符号化するための手段を備える請求項３１に記載の装置。
【請求項３３】
前記基準ピクチャインデックス値をバイナリ化するための前記手段は、結合された打ち切りユナリ及び指数Ｇｏｌｏｍｂコードを用いて前記基準ピクチャインデックス値をバイナリ化するための手段を備える請求項３２に記載の装置。
【請求項３４】
前記バイパスコーディングモードを用いて前記バイナリ化された基準ピクチャインデックス値の前記少なくとも他のビンを符号化するための前記手段は、ユナリ、打ち切りユナリ、Ｇｏｌｏｍｂ、指数Ｇｏｌｏｍｂ、又はＧｏｌｏｍｂ−Ｒｉｃｅコーディングプロセスのうちの少なくとも１つを用いて前記少なくとも他のビンを符号化するための手段を備える請求項３１に記載の装置。
【請求項３５】
前記第１の基準ピクチャインデックスと関連付けられた第１の動きベクトル差分値の成分及び第２の基準ピクチャインデックスと関連付けられた第２の動きベクトル差分値の成分をバイナリ化するための手段と、
前記コンテキストコーディングモードを用いて第１の動きベクトル差分値の前記成分の第１の部分及び前記第２の動きベクトル差分値の前記成分の第１の部分を符号化するための手段と、
前記バイパスコーディングモードを用いて前記第１の動きベクトル差分値の前記成分の第２の部分及び前記第２の動きベクトル差分値の前記成分の第２の部分を符号化するための手段と、をさらに備える請求項３１に記載の装置。
【請求項３６】
前記第１の動きベクトル差分値の前記成分の前記第１の部分及び前記第２の動きベクトル差分値の前記成分の前記第１の部分を前記コンテキストコーディングモードでのコーディングのために第１のグループに分けるための手段と、
第１の動きベクトル差分値の前記成分の前記第２の部分及び前記第２の動きベクトル差分値の成分の前記第２の部分を前記バイパスコーディングモードでのコーディングのために第２のグループに分けるための手段と、をさらに備える請求項３５に記載の装置。
【請求項３７】
前記コンテキストコーディングモードを用いて前記バイナリ化された基準ピクチャインデックス値の少なくとも１つのビンを符号化するための前記手段は、
第１のコンテキスト（ｃｔｘ０）を用いて前記バイナリ化された基準ピクチャインデックス値の第１のビン（ビン０）を符号化するための手段と、
第２のコンテキスト（ｃｔｘ１）を用いて前記バイナリ化された基準ピクチャインデックス値の第２のビン（ビン１）を符号化するための手段と、
第３のコンテキスト（ｃｔｘ２）を用いて前記バイナリ化された基準ピクチャインデックス値の第３のビン（ビン２）を符号化するための手段と、を備え、
前記バイパスコーディングモードを用いて前記バイナリ化された基準ピクチャインデックス値の少なくとも他のビンを符号化するため前記手段は、
前記バイパスコーディングモードを用いて前記第３のビン（ビン２）の後のすべての残りのビンを符号化するための手段を備える請求項３１に記載の装置。
【請求項３８】
前記コンテキストコーディングモードを用いて前記バイナリ化された基準ピクチャインデックス値の少なくとも１つのビンを符号化するための前記手段は、
第１のコンテキスト（ｃｔｘ０）を用いて前記バイナリ化された基準ピクチャインデックス値の第１のビン（ビン０）を符号化するための手段を備え、
前記バイパスコーディングモードを用いて前記バイナリ化された基準ピクチャインデックス値の少なくとも他のビンを符号化するための前記手段は、
前記バイパスコーディングモードを用いて前記第１のビン（ビン０）の後のすべての残りのビンを符号化するための手段を備える請求項３１に記載の装置。
【請求項３９】
前記基準インデックス値をバイナリ化するための前記手段は、前記基準ピクチャインデックス値をユナリコーディングするための手段を備え、
前記コンテキストコーディングモードを用いて前記バイナリ化された基準ピクチャインデックス値の前記少なくとも１つのビンを符号化するための前記手段は、
前記コンテキストコーディングモードを用いて前記ユナリコーディングされた基準ピクチャインデックス値の少なくとも１つのビンを符号化するための手段を備え、
前記バイパスコーディングモードを用いて前記バイナリ化された基準ピクチャインデックス値の前記少なくとも他のビンを符号化するための前記手段は、
前記バイパスコーディングモードを用いて前記ユナリコーディングされた基準ピクチャインデックス値の少なくとも他のビンを符号化するための手段を備える請求項３１に記載の装置。
【請求項４０】
前記基準ピクチャインデックス値をユナリコーディングするための前記手段は、前記基準ピクチャインデックス値を打ち切りユナリコーディングするための手段を備える請求項３９に記載の装置。
【請求項４１】
前記基準ピクチャインデックス値をバイナリ化するための前記手段は、前記基準ピクチャインデックス値をユナリコーディングし及び指数−Ｇｏｌｏｍｂコーディングするための手段を備え、
前記コンテキストコーディングモードを用いて前記バイナリ化された基準ピクチャインデックス値のうちの前記少なくとも１つのビンを符号化するための前記手段は、
前記コンテキストコーディングモードを用いて前記基準ピクチャインデックス値のユナリコーディングされた部分の少なくとも１つのビンを符号化するための手段を備え、
前記バイパスコーディングモードを用いて前記バイナリ化された基準ピクチャインデックス値の前記少なくとも他のビンを符号化するための前記手段は、
前記バイパスコーディングモードを用いて前記基準ピクチャインデックス値の前記ユナリコーディングされた部分及び前記基準ピクチャインデックス値の指数−Ｇｏｌｏｍｂコーディングされた部分の少なくとも他のビンを符号化するための手段を備える請求項３１に記載の装置。
【請求項４２】
前記基準ピクチャインデックス値の前記指数−Ｇｏｌｏｍｂコーディングされた部分を符号化する前に前記基準ピクチャインデックス値の前記指数−Ｇｏｌｏｍｂコーディングされた部分を打ち切るための手段をさらに備える請求項４１に記載の装置。
【請求項４３】
前記基準ピクチャインデックス値をバイナリ化するための前記手段は、前記基準ピクチャインデックス値をユナリコーディングし及び固定長コーディングするための手段を備え、
前記コンテキストコーディングモードを用いて前記バイナリ化された基準ピクチャインデックス値の前記少なくとも１つのビンを符号化するための前記手段は、前記コンテキストコーディングモードを用いて前記基準ピクチャインデックス値のユナリコーディングされた部分の少なくとも１つのビンを符号化するための手段を備え、
前記バイパスコーディングモードを用いて前記バイナリ化された基準ピクチャインデックス値の前記少なくとも他のビンを符号化するための前記手段は、前記バイパスコーディングモードを用いて前記基準ピクチャインデックス値の前記ユナリコーディングされた部分及び前記基準ピクチャインデックス値の固定長コーディングされた部分の少なくとも他のビンを符号化するための手段を備える請求項３１に記載の装置。
【請求項４４】
前記基準ピクチャインデックス値の前記固定長コーディングされた部分をコーディングする前に基準ピクチャインデックス値の前記固定長コーディングされた部分を打ち切るための手段をさらに備える請求項４３に記載の装置。
【請求項４５】
前記コンテキストコーディングモードを用いて符号化するための手段は、前記バイナリ化された基準ピクチャインデックスの前記少なくとも１つのビンをコーディングするための１つ以上の確率モデルを選択するための手段と、前記選択された１つ以上の確率モデルを用いて前記バイナリ化された基準ピクチャインデックスの前記少なくとも１つのビンを符号化するための手段と、備え、
前記バイパスコーディングモードを用いて符号化するための手段は、固定された確率を決定するための手段と、前記固定された確率を用いて前記バイナリ化された基準ピクチャインデックス値の前記少なくとも他のビンを符号化するための手段と、を備える請求項３１に記載の装置。
【請求項４６】
映像復号プロセスにおいて基準ピクチャインデックス構文要素を復号するための方法であって、
コンテキスト適応型バイナリ算術コーディング（ＣＡＢＡＣ）プロセスのコンテキストコーディングモードを用いて基準インデックス値の少なくとも１つのビンを復号することと、
前記バイナリ化された基準ピクチャインデックス値が前記コンテキストコーディングモードを用いてコーディングされた前記少なくとも１つのビンよりも多いビンを備えると決定することと、
前記基準ピクチャインデックス値が前記コンテキストコーディングモードを用いてコーディングされた前記少なくとも１つのビンよりも多いビンを備えると決定することに応答して、前記ＣＡＢＡＣプロセスのバイパスコーディングモードを用いて前記基準ピクチャインデックス値の少なくとも他のビンを復号することと、
前記基準インデックス値をバイナリ化することと、を備える、方法。
【請求項４７】
前記コンテキストコーディングモードを用いて前記基準ピクチャインデックス値の少なくとも１つのビンを復号することは、
第１のコンテキスト（ｃｔｘ０）を用いて前記基準ピクチャインデックス値の第１のビン（ビン０）を復号することと、
第２のコンテキスト（ｃｔｘ１）を用いて前記基準ピクチャインデックス値の第２のビン（ビン１）を復号することと、を備え、
前記バイパスコーディングモードを用いて前記基準ピクチャインデックス値の少なくとも他のビンを復号することは、
前記バイパスコーディングモードを用いて第３のビン（ビン２）及び前記第３のビン（ビン２）後のすべての残りのビンを復号することを備える請求項４６に記載の方法。
【請求項４８】
前記基準ピクチャインデックス値をバイナリ化することは、結合された打ち切りユナリ及び指数Ｇｏｌｏｍｂコードを用いて前記基準ピクチャインデックス値をバイナリ化することを備える請求項４７に記載の方法。
【請求項４９】
前記バイパスコーディングモードを用いて前記基準インデックス値の前記少なくとも他のビンを復号することは、ユナリ、打ち切りユナリ、Ｇｏｌｏｍｂ、指数Ｇｏｌｏｍｂ、又はＧｏｌｏｍｂ−Ｒｉｃｅコーディングプロセスのうちの少なくとも１つを用いて前記少なくとも他のビンを復号することを備える請求項４６に記載の方法。
【請求項５０】
前記コンテキストコーディングモードを用いて第１の動きベクトル差分値の成分の第１の部分及び第２の動きベクトル差分値の成分の第１の部分を復号することと、
前記バイパスコーディングモードを用いて前記第１の動きベクトル差分値の前記成分の第２の部分及び前記第２の動きベクトル差分値の前記成分の第２の部分を復号することと、
前記第１の基準ピクチャインデックスと関連付けられた前記第１の動きベクトル差分値の前記成分及び第２の基準ピクチャインデックスと関連付けられた前記第２の動きベクトル差分値の前記成分をバイナリ化することと、をさらに備える請求項４６に記載の方法。
【請求項５１】
前記第１の動きベクトル差分値の前記成分の前記第１の部分及び前記第２の動きベクトル差分値の前記成分の前記第１の部分を前記コンテキストコーディングモードでのコーディングのために第１のグループに分けることと、
前記第１の動きベクトル差分値の前記成分の前記第２の部分及び前記第２の動きベクトル差分値の成分の前記第２の部分を前記バイパスコーディングモードでのコーディングのために第２のグループに分けることと、をさらに備える請求項５０に記載の方法。
【請求項５２】
前記コンテキストコーディングモードを用いて前記基準ピクチャインデックス値の少なくとも１つのビンを復号することは、
第１のコンテキスト（ｃｔｘ０）を用いて前記基準ピクチャインデックス値の第１のビン（ビン０）を復号することと、
第２のコンテキスト（ｃｔｘ１）を用いて前記基準ピクチャインデックスの第２のビン（ビン１）を復号することと、
第３のコンテキスト（ｃｔｘ２）を用いて前記基準ピクチャインデックスの第３のビン（ビン２）を復号することと、を備え、
前記バイパスコーディングモードを用いて前記基準ピクチャインデックス値の少なくとも他のビンを復号することは、
前記バイパスコーディングモードを用いて前記第３のビン（ビン２）の後のすべての残りのビンを復号することを備える請求項４６に記載の方法。
【請求項５３】
前記コンテキストコーディングモードを用いて前記基準ピクチャインデックス値の少なくとも１つのビンを復号することは、
第１のコンテキスト（ｃｔｘ０）を用いて前記基準ピクチャインデックス値の第１のビン（ビン０）を復号することを備え、
前記バイパスコーディングモードを用いて前記基準ピクチャインデックス値の少なくとも他のビンを復号することは、
前記バイパスコーディングモードを用いて前記第１のビン（ビン０）の後のすべての残りのビンを復号することを備える請求項４６に記載の方法。
【請求項５４】
前記コンテキストコーディングモードを用いて前記基準ピクチャインデックス値の前記少なくとも１つのビンを復号することは、
前記コンテキストコーディングモードを用いて前記ユナリコーディングされた基準ピクチャインデックス値の少なくとも１つのビンを復号することを備え、
前記バイパスコーディングモードを用いて前記インデックス値の前記少なくとも他のビンを復号することは、
前記バイパスコーディングモードを用いて前記ユナリコーディングされた基準ピクチャインデックス値の少なくとも他のビンを復号することを備え、
前記基準インデックス値をバイナリ化することは、前記基準ピクチャインデックス値をユナリコーディングすることを備える請求項４６に記載の方法。
【請求項５５】
前記基準ピクチャインデックス値をユナリコーディングすることは、前記基準ピクチャインデックス値を打ち切りユナリコーディングすることを備える請求項５４に記載の方法。
【請求項５６】
前記コンテキストコーディングモードを用いて前記基準ピクチャインデックス値の前記少なくとも１つのビンを復号することは、
前記コンテキストコーディングモードを用いて前記基準ピクチャインデックス値のユナリコーディングされた部分の少なくとも１つのビンを復号することを備え、
前記バイパスコーディングモードを用いて前記基準ピクチャインデックス値の前記少なくとも他のビンを復号することは、
前記バイパスコーディングモードを用いて前記基準ピクチャインデックス値の前記ユナリコーディングされた部分及び前記基準ピクチャインデックス値の指数−Ｇｏｌｏｍｂコーディングされた部分の少なくとも他のビンを復号することを備え、
前記基準ピクチャインデックス値をバイナリ化することは、前記基準ピクチャインデックス値をユナリコーディングことと、指数−Ｇｏｌｏｍｂコーディングすることと、を備える請求項４６に記載の方法。
【請求項５７】
前記基準ピクチャインデックス値の前記指数−Ｇｏｌｏｍｂコーディングされた部分を復号する前に前記基準ピクチャインデックス値の前記指数−Ｇｏｌｏｍｂコーディングされた部分を打ち切ることをさらに備える請求項５６に記載の方法。
【請求項５８】
前記コンテキストコーディングモードを用いて前記基準ピクチャインデックス値の前記少なくとも１つのビンを復号することは、前記コンテキストコーディングモードを用いて前記基準ピクチャインデックス値のユナリコーディングされた部分の少なくとも１つのビンを復号することを備え、
前記バイパスコーディングモードを用いて前記基準ピクチャインデックス値の前記少なくとも他のビンを復号することは、前記バイパスコーディングモードを用いて前記基準ピクチャインデックス値のユナリコーディングされた部分及び前記基準ピクチャインデックス値の固定長コーディングされた部分の少なくとも他のビンを復号することを備え、
前記基準ピクチャインデックス値をバイナリ化することは、前記基準ピクチャインデックス値をユナリコーディングすることと、固定長コーディングすることと、を備える請求項４６に記載の方法。
【請求項５９】
前記基準ピクチャインデックス値の固定長コーディングされた部分をコーディングする前に前記基準ピクチャインデックス値の前記固定長コーディングされた部分を打ち切ることをさらに備える請求項５８に記載の方法。
【請求項６０】
前記コンテキストコーディングモードを用いて復号することは、前記バイナリ化された基準ピクチャインデックスの前記少なくとも１つのビンをコーディングするための１つ以上の確率モデルを選択することと、前記選択された１つ以上の確率モデルを用いて前記バイナリ化された基準ピクチャインデックスの前記少なくとも１つのビンを復号することと、を備え、
前記バイパスコーディングモードを用いて復号することは、固定された確率を決定することと、前記固定された確率を用いて前記バイナリ化された基準ピクチャインデックス値の前記少なくとも他のビンを復号することと、を備える請求項４６に記載の方法。
【請求項６１】
映像復号プロセスにおいて基準ピクチャインデックス構文要素を復号するための装置であって、
１つ以上の基準ピクチャを格納するように構成された復号されたピクチャバッファと、
コンテキスト適応型バイナリ算術コーディング（ＣＡＢＡＣ）プロセスのコンテキストコーディングモードを用いて基準ピクチャインデックス値の少なくとも１つのビンを復号し、前記基準ピクチャインデックス値は、前記１つ以上の基準ピクチャの基準ピクチャと関連付けられ、
前記バイナリ化された基準ピクチャインデックス値が前記コンテキストコーディングモードを用いてコーディングされた前記少なくとも１つのビンよりも多いビンを備えると決定し、
前記基準ピクチャインデックス値が前記コンテキストコーディングモードを用いてコーディングされた前記少なくとも１つのビンよりも多いビンを備えると決定することに応答して、前記ＣＡＢＡＣプロセスのバイパスコーディングモードを用いて前記基準ピクチャインデックス値の少なくとも他のビンを復号し、及び
前記基準ピクチャインデックス値をバイナリ化するように構成された１つ以上のプロセッサ、を備える、装置。
【請求項６２】
前記コンテキストコーディングモードを用いて前記基準ピクチャインデックス値の少なくとも１つのビンを復号するために、前記１つ以上のプロセッサは、
第１のコンテキスト（ｃｔｘ０）を用いて前記基準ピクチャインデックス値の第１のビン（ビン０）を復号し、
第２のコンテキスト（ｃｔｘ１）を用いて前記基準ピクチャインデックス値の第２のビン（ビン１）を復号するように構成され、
前記バイパスコーディングモードを用いて前記基準ピクチャインデックス値の少なくとも他のビンを復号するために、前記１つ以上のプロセッサは、
前記バイパスコーディングモードを用いて第３のビン（ビン２）及び前記第３のビン（ビン２）後のすべての残りのビンを復号するように構成される請求項６１に記載の装置。
【請求項６３】
前記基準ピクチャインデックス値をバイナリ化するために、前記１つ以上のプロセッサは、結合された打ち切りユナリ及び指数Ｇｏｌｏｍｂコードを用いて前記基準ピクチャインデックス値をバイナリ化するように構成される請求項６２に記載の装置。
【請求項６４】
前記バイパスコーディングモードを用いて前記基準ピクチャインデックス値の前記少なくとも他のビンを復号するために、前記１つ以上のプロセッサは、ユナリ、打ち切りユナリ、Ｇｏｌｏｍｂ、指数Ｇｏｌｏｍｂ、又はＧｏｌｏｍｂ−Ｒｉｃｅコーディングプロセスのうちの少なくとも１つを用いて前記少なくとも他のビンを復号するように構成される請求項６１に記載の装置。
【請求項６５】
前記１つ以上のプロセッサは、
前記コンテキストコーディングモードを用いて第１の動きベクトル差分値の成分の第１の部分及び第２の動きベクトル差分値の成分の第１の部分を復号し、
前記バイパスコーディングモードを用いて前記第１の動きベクトル差分値の前記成分の第２の部分及び前記第２の動きベクトル差分値の前記成分の第２の部分を復号し、及び
前記第１の基準ピクチャインデックスと関連付けられた前記第１の動きベクトル差分値の前記成分及び第２の基準ピクチャインデックスと関連付けられた前記第２の動きベクトル差分値の前記成分をバイナリ化するようにさらに構成される請求項６１に記載の装置。
【請求項６６】
前記１つ以上のプロセッサは、
前記第１の動きベクトル差分値の前記成分の前記第１の部分及び前記第２の動きベクトル差分値の前記成分の前記第１の部分を前記コンテキストコーディングモードでのコーディングのために第１のグループに分け、及び
前記第１の動きベクトル差分値の前記成分の前記第２の部分及び前記第２の動きベクトル差分値の成分の前記第２の部分を前記バイパスコーディングモードでのコーディングのために第２のグループに分けるようにさらに構成される請求項６５に記載の装置。
【請求項６７】
前記コンテキストコーディングモードを用いて前記基準ピクチャインデックス値の少なくとも１つのビンを復号するために、前記１つ以上のプロセッサは、
第１のコンテキスト（ｃｔｘ０）を用いて前記基準ピクチャインデックス値の第１のビン（ビン０）を復号し、
第２のコンテキスト（ｃｔｘ１）を用いて前記基準ピクチャインデックス値の第２のビン（ビン１）を復号し、
第３のコンテキスト（ｃｔｘ０）を用いて前記基準ピクチャインデックス値の第３のビン（ビン２）を復号するように構成され、
前記バイパスコーディングモードを用いて前記基準ピクチャインデックス値の少なくとも他のビンを復号するために、前記１つ以上のプロセッサは、
前記バイパスコーディングモードを用いて前記第３のビン（ビン２）の後のすべての残りのビンを復号するように構成される請求項６１に記載の装置。
【請求項６８】
前記コンテキストコーディングモードを用いて前記基準ピクチャインデックス値の少なくとも１つのビンを復号するために、前記１つ以上のプロセッサは、
第１のコンテキスト（ｃｔｘ０）を用いて前記基準ピクチャインデックス値の第１のビン（ビン０）を復号するように構成され、
前記バイパスコーディングモードを用いて前記基準ピクチャインデックス値の少なくとも他のビンを復号するために、前記１つ以上のプロセッサは、
前記バイパスコーディングモードを用いて前記第１のビン（ビン０）の後のすべての残りのビンを復号するように構成される請求項６１に記載の装置。
【請求項６９】
前記コンテキストコーディングモードを用いて前記基準ピクチャインデックス値の前記少なくとも１つのビンを復号するために、前記１つ以上のプロセッサは、
前記コーディングモードを用いて前記ユナリコーディングされた基準ピクチャインデックス値の少なくとも１つのビンを復号するように構成され、
前記バイパスコーディングモードを用いて前記インデックス値の前記少なくとも他のビンを復号するために、前記１つ以上のプロセッサは、
前記バイパスコーディングモードを用いて前記ユナリコーディングされた基準ピクチャインデックス値の少なくとも他のビンを復号するように構成され、
前記基準インデックス値をバイナリ化するために、前記１つ以上のプロセッサは、前記基準ピクチャインデックス値をユナリコーディングするように構成される請求項６１に記載の装置。
【請求項７０】
前記基準ピクチャインデックス値をユナリコーディングするために、前記１つ以上のプロセッサは、前記基準ピクチャインデックス値を打ち切りユナリコーディングするように構成される請求項６９に記載の装置。
【請求項７１】
前記コンテキストコーディングモードを用いて前記基準ピクチャインデックス値の前記少なくとも１つのビンを復号するために、前記１つ以上のプロセッサは、
前記コンテキストコーディングモードを用いて前記基準ピクチャインデックス値のユナリコーディングされた部分の少なくとも１つのビンを復号するように構成され、
前記バイパスコーディングモードを用いて前記基準ピクチャインデックス値の前記少なくとも他のビンを復号するために、前記１つ以上のプロセッサは、
前記バイパスコーディングモードを用いて前記基準ピクチャインデックス値の前記ユナリコーディングされた部分及び前記基準ピクチャインデックス値の指数−Ｇｏｌｏｍｂコーディングされた部分の少なくとも他のビンを復号するように構成され、
前記基準ピクチャインデックス値をバイナリ化するために、前記１つ以上のプロセッサは、前記基準ピクチャインデックス値をユナリコーディングし及び指数−Ｇｏｌｏｍｂコーディングするように構成される請求項６１に記載の装置。
【請求項７２】
前記１つ以上のプロセッサは、前記基準ピクチャインデックス値の前記指数−Ｇｏｌｏｍｂコーディングされた部分を復号する前に前記基準ピクチャインデックス値の前記指数−Ｇｏｌｏｍｂコーディングされた部分を打ち切るようにさらに構成される請求項７１に記載の装置。
【請求項７３】
前記コンテキストコーディングモードを用いて前記基準ピクチャインデックス値の前記少なくとも１つのビンを復号するために、前記１つ以上のプロセッサは、前記コンテキストコーディングモードを用いて前記基準ピクチャインデックス値のユナリコーディングされた部分の少なくとも１つのビンを復号するように構成され、
前記バイパスコーディングモードを用いて前記基準ピクチャインデックス値の前記少なくとも他のビンを復号するために、前記１つ以上のプロセッサは、前記バイパスコーディングモードを用いて前記基準ピクチャインデックス値のユナリコーディングされた部分及び前記基準ピクチャインデックス値の固定長コーディングされた部分の少なくとも他のビンを復号するように構成され、
前記基準ピクチャインデックス値をバイナリ化するために、前記１つ以上のプロセッサは、前記基準ピクチャインデックス値をユナリコーディングし及び固定長コーディングするように構成される請求項６１に記載の装置。
【請求項７４】
前記１つ以上のプロセッサは、前記基準ピクチャインデックス値の前記固定長コーディングされた部分をコーディングする前に前記基準ピクチャインデックス値の前記固定長コーディングされた部分を打ち切るようにさらに構成される請求項７３に記載の装置。
【請求項７５】
前記コンテキストコーディングモードを用いて復号するために、前記１つ以上のプロセッサは、前記バイナリ化された基準ピクチャインデックスの前記少なくとも１つのビンをコーディングするための１つ以上の確率モデルを選択し及び前記選択された１つ以上の確率モデルを用いて前記バイナリ化された基準ピクチャインデックスの前記少なくとも１つのビンを復号するように構成され、
前記バイパスコーディングモードを用いて復号するために、前記１つ以上のプロセッサは、固定された確率を決定し及び前記固定された確率を用いて前記バイナリ化された基準ピクチャインデックス値の前記少なくとも他のビンを復号するように構成される請求項６１に記載の装置。
【請求項７６】
非一時的なコンピュータによって読み取り可能な媒体であって、
実行されたときに、
コンテキスト適応型バイナリ算術コーディング（ＣＡＢＡＣ）プロセスのコンテキストコーディングモードを用いて基準ピクチャインデックス値の少なくとも１つのビンを復号し、
前記バイナリ化された基準ピクチャインデックス値が前記コンテキストコーディングモードを用いてコーディングされた前記少なくとも１つのビンよりも多いビンを備えると決定し、
前記基準ピクチャインデックス値が前記コンテキストコーディングモードを用いてコーディングされた前記少なくとも１つのビンよりも多いビンを備えると決定することに応答して、前記ＣＡＢＡＣプロセスのバイパスコーディングモードを用いて前記基準ピクチャインデックス値の少なくとも他のビンを復号し、及び
前記基準インデックス値をバイナリ化することを１つ以上のプロセッサに行わせる命令を格納している、非一時的なコンピュータによって読み取り可能な媒体。
【請求項７７】
前記コンテキストコーディングモードを用いて前記基準ピクチャインデックス値の少なくとも１つのビンを復号するために、前記命令は、
第１のコンテキスト（ｃｔｘ０）を用いて前記基準ピクチャインデックス値の第１のビン（ビン０）を復号し、
第２のコンテキスト（ｃｔｘ１）を用いて前記基準ピクチャインデックス値の第２のビン（ビン１）を復号することを前記１つ以上のプロセッサに行わせ、
前記バイパスコーディングモードを用いて前記基準ピクチャインデックス値の少なくとも他のビンを復号するために、前記命令は、
前記バイパスコーディングモードを用いて第３のビン（ビン２）及び前記第３のビン（ビン２）後のすべての残りのビンを復号することを前記１つ以上のプロセッサに行わせる請求項７６に記載のコンピュータによって読み取り可能な媒体。
【請求項７８】
前記基準ピクチャインデックス値をバイナリ化するために、前記命令は、結合された打ち切りユナリ及び指数Ｇｏｌｏｍｂコードを用いて前記基準ピクチャインデックス値をバイナリ化することを前記１つ以上のプロセッサに行わせる請求項７７に記載のコンピュータによって読み取り可能な媒体。
【請求項７９】
前記バイパスコーディングモードを用いて前記基準ピクチャインデックス値の前記少なくとも他のビンを復号するために、前記命令は、ユナリ、打ち切りユナリ、Ｇｏｌｏｍｂ、指数Ｇｏｌｏｍｂ、又はＧｏｌｏｍｂ−Ｒｉｃｅコーディングプロセスのうちの少なくとも１つを用いて前記少なくとも他のビンを復号することを前記１つ以上のプロセッサに行わせる請求項７６に記載のコンピュータによって読み取り可能な媒体。
【請求項８０】
前記コンテキストコーディングモードを用いて第１の動きベクトル差分値の成分の第１の部分及び第２の動きベクトル差分値の成分の第１の部分を復号し、
前記バイパスコーディングモードを用いて前記第１の動きベクトル差分値の前記成分の第２の部分及び前記第２の動きベクトル差分値の前記成分の第２の部分を復号し、及び
前記第１の基準ピクチャインデックスと関連付けられた前記第１の動きベクトル差分値の前記成分及び第２の基準ピクチャインデックスと関連付けられた前記第２の動きベクトル差分値の前記成分をバイナリ化することを前記１つ以上のプロセッサに行わせる命令をさらに備える請求項７６に記載のコンピュータによって読み取り可能な媒体。
【請求項８１】
前記第１の動きベクトル差分値の前記成分の前記第１の部分及び前記第２の動きベクトル差分値の前記成分の前記第１の部分を前記コンテキストコーディングモードでのコーディングのために第１のグループに分け、及び
前記第１の動きベクトル差分値の前記成分の前記第２の部分及び前記第２の動きベクトル差分値の成分の前記第２の部分を前記バイパスコーディングモードでのコーディングのために第２のグループに分けることを前記１つ以上のプロセッサに行わせる命令をさらに備える請求項８０に記載のコンピュータによって読み取り可能な媒体。
【請求項８２】
前記コンテキストコーディングモードを用いて前記基準ピクチャインデックス値の少なくとも１つのビンを復号するために、前記命令は、
第１のコンテキスト（ｃｔｘ０）を用いて前記基準ピクチャインデックス値の第１のビン（ビン０）を復号し、
第２のコンテキスト（ｃｔｘ１）を用いて前記基準ピクチャインデックス値の第２のビン（ビン１）を復号し、
第３のコンテキスト（ｃｔｘ２）を用いて前記基準ピクチャインデックス値の第３のビン（ビン２）を復号することを前記１つ以上のプロセッサに行わせ、
前記バイパスコーディングモードを用いて前記基準ピクチャインデックス値の少なくとも他のビンを復号するために、前記命令は、
前記バイパスコーディングモードを用いて前記第３のビン（ビン２）の後のすべての残りのビンを符号化することを前記１つ以上のプロセッサに行わせる請求項７６に記載のコンピュータによって読み取り可能な媒体。
【請求項８３】
前記コンテキストコーディングモードを用いて前記基準ピクチャインデックス値の少なくとも１つのビンを復号するために、前記命令は、
第１のコンテキスト（ｃｔｘ０）を用いて前記基準ピクチャインデックス値の第１のビン（ビン０）を復号することを前記１つ以上のプロセッサに行わせ、
前記バイパスコーディングモードを用いて前記基準ピクチャインデックス値の少なくとも他のビンを復号するために、前記命令は、
前記バイパスコーディングモードを用いて前記第１のビン（ビン０）の後のすべての残りのビンを復号することを前記１つ以上のプロセッサに行わせる請求項７６に記載のコンピュータによって読み取り可能な媒体。
【請求項８４】
前記コンテキストコーディングモードを用いて前記基準ピクチャインデックス値の前記少なくとも１つのビンを復号するために、前記命令は、
前記コンテキストコーディングモードを用いて前記ユナリコーディングされた基準ピクチャインデックス値の少なくとも１つのビンを復号することを前記１つ以上のプロセッサに行わせ、
前記バイパスコーディングモードを用いて前記インデックス値の前記少なくとも他のビンを復号するために、前記命令は、
前記バイパスコーディングモードを用いて前記ユナリコーディングされた基準ピクチャインデックス値の少なくとも他のビンを復号することを前記１つ以上のプロセッサに行わせ、
前記基準インデックス値をバイナリ化するために、前記命令は、前記基準ピクチャインデックス値をユナリコーディングすることを前記１つ以上のプロセッサに行わせる請求項７６に記載のコンピュータによって読み取り可能な媒体。
【請求項８５】
前記基準ピクチャインデックス値をユナリコーディングするために、前記命令は、前記基準ピクチャインデックス値を打ち切りユナリコーディングすることを前記１つ以上のプロセッサに行わせる請求項８４に記載のコンピュータによって読み取り可能な媒体。
【請求項８６】
前記コンテキストコーディングモードを用いて前記基準ピクチャインデックス値の前記少なくとも１つのビンを復号するために、前記命令は、
前記コンテンツコーディングモードを用いて前記基準ピクチャインデックス値のユナリコーディングされた部分の少なくとも１つのビンを復号することを前記１つ以上のプロセッサに行わせ、
前記バイパスコーディングモードを用いて前記基準ピクチャインデックス値の前記少なくとも他のビンを復号するために、前記命令は、
前記バイパスコーディングモードを用いて前記基準ピクチャインデックス値のユナリコーディングされた部分及び前記基準ピクチャインデックス値の指数−Ｇｏｌｏｍｂコーディングされた部分の少なくとも他のビンを復号することを前記１つ以上のプロセッサに行わせ、
前記基準ピクチャインデックス値をバイナリ化するために、前記命令は、前記基準ピクチャインデックス値をユナリコーディングすること及び指数−Ｇｏｌｏｍｂコーディングすることを前記１つ以上のプロセッサに行わせる請求項７６に記載のコンピュータによって読み取り可能な媒体。
【請求項８７】
前記基準ピクチャインデックス値の前記指数−Ｇｏｌｏｍｂコーディングされた部分を復号する前に前記基準ピクチャインデックス値の前記指数−Ｇｏｌｏｍｂコーディングされた部分を打ち切ることを前記１つ以上のプロセッサに行わせる命令をさらに備える請求項８６に記載のコンピュータによって読み取り可能な媒体。
【請求項８８】
前記コンテキストコーディングモードを用いて前記基準ピクチャインデックス値の前記少なくとも１つのビンを復号するために、前記命令は、
前記コンテンツコーディングモードを用いて前記基準ピクチャインデックス値のユナリコーディングされた部分の少なくとも１つのビンを復号することを前記１つ以上のプロセッサに行わせ、
前記バイパスコーディングモードを用いて前記基準ピクチャインデックス値の前記少なくとも他のビンを復号するために、前記命令は、前記バイパスコーディングモードを用いて前記基準ピクチャインデックス値のユナリコーディングされた部分及び前記基準ピクチャインデックス値の固定長コーディングされた部分の少なくとも他のビンを復号することを前記１つ以上のプロセッサに行わせ、
前記基準ピクチャインデックス値をバイナリ化するために、前記命令は、前記基準ピクチャインデックス値をユナリコーディングすること及び固定長コーディングすることを前記１つ以上のプロセッサに行わせる請求項７６に記載のコンピュータによって読み取り可能な媒体。
【請求項８９】
前記基準ピクチャインデックス値の前記固定長コーディングされた部分をコーディングする前に前記基準ピクチャインデックス値の前記固定長コーディングされた部分を打ち切ることを前記１つ以上のプロセッサに行わせる命令をさらに備える請求項８８に記載のコンピュータによって読み取り可能な媒体。
【請求項９０】
前記コンテキストコーディングモードを用いて復号するために、前記命令は、前記バイナリ化された基準ピクチャインデックスの前記少なくとも１つのビンをコーディングするための１つ以上の確率モデルを選択すること及び前記選択された１つ以上の確率モデルを用いて前記バイナリ化された基準ピクチャインデックスの前記少なくとも１つのビンを復号することを前記１つ以上のプロセッサに行わせ、
前記バイパスコーディングモードを用いて復号するために、前記命令は、固定された確率を決定すること及び前記固定された確率を用いて前記バイナリ化された基準ピクチャインデックス値の前記少なくとも他のビンを復号することを前記１つ以上のプロセッサに行わせる請求項７６に記載のコンピュータによって読み取り可能な媒体。
【請求項９１】
前記ＣＡＢＡＣプロセスのコンテキストコーディングモードを用いてインター予測方向構文要素の第１のビンを復号し、及び
前記ＣＡＢＡＣプロセスのバイパスコーディングモードを用いて前記インター予測方向構文要素の第２のビンを復号することを前記１つ以上のプロセッサに行わせる命令をさらに備える請求項７６に記載のコンピュータによって読み取り可能な媒体。